(57)【要約】【課題】着脱容易で装着時の携帯性や使用感を損なわずかつ画像表示画面への外光を効果的に遮蔽し得るフード用接眼アクセサリを簡単な構成かつ低コストで提供する。【解決手段】外部に画像表示画面１６とファインダ接眼枠１３とを有するカメラ１に取り付け可能なフード用接眼アクセサリ３であって、ファインダ接眼枠に係合する係合手段３１ｂを有する第１取付手段３１と、カメラに取付けたストラップ２の帯状部分又は板部材２Ｃを取付け可能とする第２取付手段３２と、第１取付手段とストラップの帯状部分又は板部材を取付けた第２取付手段とが相対的に回動可能に連結する連結手段３３とを備え、第１取付手段と第２取付手段とが連結手段により連結された状態とされ第１取付手段が係合手段によりファインダ接眼枠に係合した状態とされた時、第２取付手段に取り付けたストラップの帯状部分若しくは板部材が画像表示画面に対して起立した状態となるように構成する。【選択図】図７
2010243668.tif 000002
【特許請求の範囲】
【請求項１】
外部に画像表示画面とファインダ接眼枠とを有するカメラに取り付け可能なフード用接眼アクセサリであって、
上記ファインダ接眼枠に係合する係合手段を有する第１の取付手段と、
上記カメラに取り付けられたストラップの帯状部分若しくは板部材を取り付け可能とするための第２の取付手段と、
上記第１の取付手段と上記ストラップの上記帯状部分若しくは上記板部材が取り付けられた状態の上記第２の取付手段とが相対的に回動可能に連結する連結手段と、
を具備し、
上記第１の取付手段と上記第２の取付手段とが上記連結手段により連結された状態とされて、上記第１の取付手段が上記係合手段により上記ファインダ接眼枠に係合した状態とされたとき、上記第２の取付手段に取り付けられた上記ストラップの上記帯状部分若しくは上記板部材が上記画像表示画面に対して起立した状態となるように構成されることを特徴とするフード用接眼アクセサリ。
【請求項２】
上記第２の取付手段は、上記ストラップの上記帯状部分若しくは上記板部材を挟み込んで取り付け可能としたことを特徴とする請求項１に記載のフード用接眼アクセサリ。
【請求項３】
上記第２の取付手段は、上記連結手段に対して着脱可能に構成されていることを特徴とする請求項１に記載のフード用接眼アクセサリ。
【発明の詳細な説明】
【技術分野】
【０００１】
この発明は、フード用接眼アクセサリ、詳しくは外部に画像表示画面とファインダ接眼枠とを有するカメラにおいて、ファインダ接眼枠に取り付けるフード用接眼アクセサリに関するものである。
【背景技術】
【０００２】
従来、撮影光学系により結像された光学像を光電変換素子等によって順次画像信号に変換し、得られた画像信号を所定の形態の画像データとして記録媒体に記録し得ると共に、この記録媒体に記録された画像データを画像として再生表示したりカメラの各種の設定等を行うためのメニュー画面を表示し得る画像表示装置、例えば液晶表示装置（ＬＣＤ）等を備えて構成されたデジタルカメラやビデオカメラ等の撮影装置（以下、これらを総称してカメラという）が一般に実用化され、広く普及している。
【０００３】
このような形態のカメラにおいては、撮影を行うのに先立って撮影対象の主要被写体を含む撮影範囲を観察するためのファインダ装置を備えたものがある。このファインダ装置は、例えば光学レンズ等によって構成される光学ファインダや、小型液晶表示装置等を用いた電子ビューファインダ（ＥＶＦ）等がある。
【０００４】
さらに、上記形態の従来のカメラにおいては、光電変換素子等によって取得された画像信号を画像表示装置の画像表示画面に順次表示させることによって、該画像表示画面をビューファインダの代わりに使用できるように構成したものがある。
【０００５】
そして、従来のカメラにおける画像表示装置は、通常の場合、その画像表示画面がカメラの外部に向けて配設されているのが普通である。したがって、このような構成の従来のカメラを、例えば日中野外等で使用する場合には、外部に向けて設けられた画像表示画面に向けて太陽光等が入射する状況が多々ある。この場合、画像表示画面に表示される観察画像や再生画像，メニュー表示等が見え難くなってしまう。
【０００６】
このような状況になったとき、従来のカメラでは、画像表示画面の周囲を手で覆って画像表示画面への入射光を遮ったり、あるいは、実案登録第３０７９２５３号公報等によって開示されているような形態の別ユニットからなる専用アクセサリである遮光フードを利用して、画像表示画面への入射光を遮蔽するといったことが行われている。
【先行技術文献】
【特許文献】
【０００７】
【特許文献１】実案登録第３０７９２５３号公報
【発明の概要】
【発明が解決しようとする課題】
【０００８】
ところが、画像表示画面の周囲を手で覆う手段では、カメラを片手で保持することになってしまうので、撮影時のカメラの安定性を保てないという問題点がある。また、カメラの各種設定操作等を行うためには手を離さなければならないので、画面を観察しながら各種の操作を行うことができないという問題点がある。このように、撮影操作時の画像表示画面の遮光を簡易的に使用者の手に頼ることは、そのカメラの使用感や操作性を損ねてしまうことになる。
【０００９】
一方、上記実案登録第３０７９２５３号公報等によって開示されているような専用アクセサリとしての遮光フードを利用すれば、使用者は、撮影のための操作に専念できることになるので至便である。
【００１０】
しかしながら、このような遮光フードは、常に必要となるわけではないので、必要なときにのみ取り付けるとすると、これを着脱する手間がかかってしまう。その上に、遮光フードを使用しない場合には、これを鞄等に収納して持ち歩く必要があるという問題点がある。さらに、このような別ユニットとしての遮光フードを常にカメラに取り付けておくとすると、カメラ自体の携帯性が損なわれてしまうという問題点がある。
【００１１】
本発明は、上述した点に鑑みてなされたものであって、その目的とするところは、外部に画像表示画面とファインダ接眼枠とを有するカメラにおいて、ファインダ接眼枠に取り付けるフード用接眼アクセサリであって、極めて簡単な構成によって適宜着脱し得ると共に、装着したときのカメラの携帯性や使用感を損なうことなく、かつ画像表示画面への外部からの有害光の遮蔽を効果的に行い得る遮光フード機能を実現し得るフード用接眼アクセサリを低コストで提供することである。
【課題を解決するための手段】
【００１２】
上記目的を達成するために、本発明によるフード用接眼アクセサリは、外部に画像表示画面とファインダ接眼枠とを有するカメラに取り付け可能なフード用接眼アクセサリであって、上記ファインダ接眼枠に係合する係合手段を有する第１の取付手段と、上記カメラに取り付けられたストラップの帯状部分若しくは板部材を取り付け可能とするための第２の取付手段と、上記第１の取付手段と上記ストラップの上記帯状部分若しくは上記板部材が取り付けられた状態の上記第２の取付手段とが相対的に回動可能に連結する連結手段と、を具備し、上記第１の取付手段と上記第２の取付手段とが上記連結手段により連結された状態とされて、上記第１の取付手段が上記係合手段により上記ファインダ接眼枠に係合した状態とされたとき、上記第２の取付手段に取り付けられた上記ストラップの上記帯状部分若しくは上記板部材が上記画像表示画面に対して起立した状態となるように構成されることを特徴とする。
【発明の効果】
【００１３】
本発明によれば、外部に画像表示画面とファインダ接眼枠とを有するカメラにおいて、ファインダ接眼枠に取り付けるフード用接眼アクセサリであって、極めて簡単な構成によって適宜着脱し得ると共に、装着したときのカメラの携帯性や使用感を損なうことなく、かつ画像表示画面への外部からの有害光の遮蔽を効果的に行い得る遮光フード機能を実現し得るフード用接眼アクセサリを低コストで提供することができる。
【図面の簡単な説明】
【００１４】
【図１】本発明の第１の実施形態のフード用接眼アクセサリを含むカメラを示す外観斜視図。
【図２】本発明の第１の実施形態のフード用接眼アクセサリの側面図。
【図３】本発明の第１の実施形態のフード用接眼アクセサリの正面図。
【図４】本発明の第１の実施形態のフード用接眼アクセサリを折畳んだ状態の正面図。
【図５】本発明の第１の実施形態のフード用接眼アクセサリを折畳んだ状態の側面図。
【図６】本発明の第１の実施形態のフード用接眼アクセサリとファインダ接眼枠及びストラップを取り出して示す外観斜視図。
【図７】本発明の第１の実施形態のフード用接眼アクセサリをカメラに装着した状態の外観斜視図。
【図８】本発明の第１の実施形態のフード用接眼アクセサリをカメラに装着した状態のカメラの側面図。
【図９】本発明の第２の実施形態のフード用接眼アクセサリを示す要部拡大図。
【図１０】本発明の第３の実施形態のフード用接眼アクセサリの外観斜視図。
【図１１】本発明の第４の実施形態のフード用接眼アクセサリの外観斜視図。
【図１２】本発明の第４の実施形態のフード用接眼アクセサリにおけるフード部材の変形例を示す外観斜視図。
【発明を実施するための形態】
【００１５】
以下、図示の実施の形態によって本発明を説明する。
【００１６】
本発明のフード用接眼アクセサリは、外部に画像表示画面とファインダ接眼枠とを有するカメラにおいて、ファインダ接眼枠を利用してカメラに取り付け得るように構成されるフード用接眼アクセサリであって、カメラに取り付けられたストラップを利用して画像表示画面に対して外部からの入射する有害光を遮蔽するための遮光フード機能を実現するためのものである。
【００１７】
まず、本発明の各実施形態の詳細を説明する前に、本発明のフード用接眼アクセサリが適用されるカメラの概略的な構成を以下に説明する。
【００１８】
なお、以下の説明においては、カメラの使用時に被写体に対向する面をカメラの前面というものとする。また、カメラの使用時に使用者が対面する面をカメラの背面というものとする。そして、複数の操作部材のうちシャッターレリーズボタン（図１の符合１５ａ参照）が配設されている面を上面というものとする。さらに、カメラの上面に対向する面を底面というものとする。また、カメラの通常の使用状態でカメラの両側の面をそれぞれ左側面，右側面というものとする。なお、この場合における左右の区別は、カメラの前面に向かって見たときの左右をいうものとする。
【００１９】
本発明の各実施形態のフード用接眼アクセサリが適用されるカメラは、撮影光学系により結像された光学像を、ＣＣＤ（Ｃｈａｒｇｅ  Ｃｏｕｐｌｅｄ  Ｄｅｖｉｃｅ；電荷結合素子），ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）等の撮像素子等からなる光電変換素子によって順次画像信号に変換し、これにより得られた画像信号（光電変換素子の出力信号）に対して所定の画像信号処理を施して所定の形態の画像データとして記録媒体に記録し得ると共に、この記録媒体に記録された画像データに基く画像を液晶表示装置（ＬＣＤ）等の画像表示装置を用いて再生表示することができるように構成されたものである。
【００２０】
即ち、図１，図７，図８に示すように、本カメラ１は、各種の主要構成部材を内部に有するカメラ本体１１と、このカメラ本体１１の前面に装着され撮影光学系を含んで構成されるレンズ鏡筒１２と、カメラ本体１１を吊るすための帯状のストラップ２等を有して構成されている。
【００２１】
カメラ本体１１の外部には、各種の設定操作を行うための複数の操作部材１５と、ストラップ用吊具１４と、画像表示装置の画像表示画面１６と、ファインダ装置のファインダ接眼枠１３等がそれぞれ所定の部位に配設されている。
【００２２】
複数の操作部材１５は、例えばシャッターレリースボタン１５ａ等の操作ボタン類若しくはダイヤル類等がある。これらの操作部材１５は、カメラ本体１１の外部であって、特に上面や背面に主に設けられている。
【００２３】
ストラップ用吊具１４は、カメラ本体１１の上面において、両側面寄りの各部位に配設されている。この場合において、ストラップ用吊具１４は、カメラ本体１１に対して一体に固設されている。なお、ストラップ用吊具１４は、例えば環状の金属製部材等が適用される。そして、このストラップ用吊具１４には、帯状のストラップ２の両端が装着される。
【００２４】
カメラ１のファインダ装置は、光学ファインダ装置若しくは電子ビューファインダ（ＥＶＦ）装置である。このファインダ装置は、カメラ本体１１の内部において略中央部の上面寄りの所定の位置に配置されている。そして、カメラ本体１１の背面の所定の部位には、上記ファインダ装置のファインダ接眼部の開口１３ａを外部に向けて露呈させるための開口が形成されている。この開口の周縁部であってカメラ本体１１の外面側には、ファインダ接眼枠１３が形成されている。なお、ファインダ接眼枠１３は、カメラ本体１１と一体に形成した形態となっていてもよいし、カメラ本体１１とは別部材で形成した枠状部材をカメラ本体１１に対してネジ等により固設した形態としてもよい。
【００２５】
上記ファインダ接眼枠１３は、ファインダ接眼部の開口１３ａに対応する略同形状の開口を有する矩形状の枠部材によって形成されている。このファインダ接眼枠１３の枠部材の左右両側縁部のそれぞれには断面が該枠部材のそれぞれ左右方向に向けた凸形状のスライドレール部１３ｂが形成されている。したがって、このスライドレール部１３ｂは、カメラ本体１１の背面側外面との間に若干の隙間を有するように配置される。
【００２６】
このスライドレール部１３ｂは、本カメラ１のファインダ接眼枠１３に対して各種の接眼アクセサリ、例えばファインダアイカップ，視度補正レンズ，アイピースカバー，マグニファイヤー（ファインダ拡大レンズ），アングルファインダ等の様々な接眼アクセサリを容易に着脱自在とすることができるように設けられているものである。後述する本発明の各実施形態のフード用接眼アクセサリもまた、このファインダ接眼枠１３に装着し得る接眼アクセサリの一種である。
【００２７】
カメラ１の画像表示装置は、例えば液晶表示装置（ＬＣＤ）等が適用される。画像表示装置は、カメラ本体１１の内部において、背面寄りの略中央部に配設されている。そして、カメラ本体１１の背面の所定の部位に形成された開口によって、上記画像表示装置の画像表示画面１６が外部に向けて露呈するようになっている。この場合において、画像表示画面１６は、カメラ本体１１の背面の略中央部を含み上記ファインダ接眼枠１３の配設されている位置から見て底面寄りの所定の領域を占めるように配置されている。
【００２８】
画像表示装置は、カメラ１が撮影モードで動作するときには、光電変換素子によって取得された複数の画像信号を受けて、これを画像表示画面１６に順次表示させ得るように構成されている。これによって、本カメラ１は、画像表示画面１６をビューファインダの代わりに使用するいわゆるライブビュー機能を有している。また、カメラ１が再生モードで動作するときには、画像表示装置は、記録媒体に記録済みの画像を画像表示画面１６に再生表示させる画像表示機能を有する。そして、カメラ１が撮影モードや再生モードで動作する場合には、画像表示装置の画像表示画面１６には、適宜動作モードに応じた各種の設定等を行うためのメニュー画面等を表示させるメニュー表示機能を有する。
【００２９】
このような形態のカメラに適用され、画像表示画面１６へと入射する外部からの有害光を遮蔽する遮光フード機能を実現するためのフード用接眼アクセサリの各実施形態について、以下に詳述する。
【００３０】
［第１の実施形態］
本発明の第１の実施形態のフード用接眼アクセサリ３は、図２〜図５に示すように、第１の取付手段である第１支持部材３１と、第２の取付手段である第２支持部材３２と、連結手段である連結部３３とによって構成されている。
【００３１】
第１支持部材３１は、矩形状の板状部材により形成されており、その略中央部分の領域にはファインダ接眼部の開口１３ａと略同形状の矩形状の開口３１ａが穿設されている。また、第１支持部材３１には、ファインダ接眼枠１３のスライドレール部１３ｂに係合する係合手段である溝部３１ｂが形成されている。この溝部３１ｂは、後述するように本フード用接眼アクセサリ３をファインダ接眼枠１３に対して装着する際に、ファインダ接眼枠１３のスライドレール部１３ｂに係合させる部位である。したがって、溝部３１ｂは、本フード用接眼アクセサリ３をファインダ接眼枠１３に装着するのに際して第１支持部材をファインダ接眼枠１３に対向させて配置したときに、ファインダ接眼枠１３のスライドレール部１３ｂのそれぞれに対向する部位、即ち第１支持部材３１の両短辺の左右両側内縁部にそれぞれ形成されている。
【００３２】
第２支持部材３２は、第１支持部材３１と略同形状の矩形状の板状部材により形成されており、その断面は、カメラ１のストラップ用吊具１４に装着されたストラップ２の帯状部分を挟み込むことが可能なように略フォーク形状に形成されている。つまり、第２支持部材３２は、そのフォーク形状の開口側からストラップ２を挿入し、これを挟み込んで保持し得る形状となっている。また、第２支持部材３２の基端側には、後述する連結部３３が係合する凹状部３２ｃが形成されている。
【００３３】
さらに、第２支持部材３２には、その略中央部分の領域に上記第１支持部材３１の開口３１ａと略同形状の矩形状の開口３２ａが穿設されている。この開口３２ａは、後述するように第２支持部材３２を第１支持部材３１に対して折り畳んだ状態（図４，図５の状態）としたときに、該第１支持部材３１の開口３１ａに対向する部位に形成されている。したがって、本フード用接眼アクセサリ３をファインダ接眼枠１３に装着し、第２支持部材３２にストラップ２が挟み込まれていない状態では、開口３２ａ，開口３１ａを介してファインダ接眼部の開口１３ａが挿通状態となるように構成される。これにより、ストラップ２から外した本フード用接眼アクセサリ３をファインダ接眼枠１３に装着した状態のままでも、使用者は、開口１３ａ，３１ａ，３２ａを通してファインダ接眼部のファインダ像を支障無く観察することができるようになっている。
【００３４】
連結部３３は、第１支持部材３１の基端側（下辺側）の略中央部分に背面側に向けて突設するように該第１支持部材３１と一体に形成される固定部３３ａ（図２，図４参照）と、この固定部３３ａの長手方向に貫通して固定される軸３３ｂとによって構成される。
【００３５】
固定部３３ａには、第２支持部材３２の凹状部３２ｃが係合するようになっている。そして、固定部３３ａに固定される軸３３ｂの両端部は、第２支持部材３２の基端側の凹状部３２ｃに張架されるように配置される。これにより、第２支持部材３２は、連結部３３に対して回動自在に軸支される。そして、連結部３３は、第１支持部材３１と第２支持部材３２とを相対的に回動可能に連結する。
【００３６】
このように構成された本実施形態のフード用接眼アクセサリ３は、図１に示すように、第２支持部材３２のフォーク状部にストラップ２の帯状部分を挟み込んだ状態とすることで、該フード用接眼アクセサリ３は、ストラップ２に対して装着され、これに固定した状態を維持し得るようになっている。この状態にあるときには、第１支持部材３１と、ストラップ２の帯状部分を挟み込んだ状態の第２支持部材３２とは、連結部３３によって相対的に回動可能となっている。つまり、第１支持部材３１と第２支持部材３２とは、図１，図２に示す矢印Ｒに沿う方向へと相対的に回動するようになっている。したがって、第１支持部材３１と第２支持部材３２とは、
図２，図３に示すように第１支持部材３１に対して第２支持部材３２を角度略９０度開いた状態にすることができるようになっている一方、両者（３１，３２）は図４，図５に示すように折り畳んで重ね合わせた状態にすることができるようになっている。
【００３７】
上述したように、第１支持部材３１は、図６，図７，図８に示すように、ファインダ接眼枠１３に対して装着し、その固定状態を維持することができるようになっている。この構成によって、本実施形態のフード用接眼アクセサリ３は、カメラ本体１１のファインダ接眼枠１３に対して装着し得るようになっている。
【００３８】
ファインダ接眼枠１３に対して本フード用接眼アクセサリ３を装着するには、図６に示すように、第１支持部材３１の溝部３１ｂをファインダ接眼枠１３のスライドレール部１３ｂに対して係合させる。
【００３９】
こうしてファインダ接眼枠１３に対して第１支持部材３１を装着すると、第１支持部材３１の開口３１ａは、ファインダ接眼部の開口１３ａに対向する部位に配置される。したがって、第１支持部材３１がファインダ接眼部の開口１３ａの視野を妨げるようなことはない。
【００４０】
また、第２支持部材３２のフォーク状部に対しては、該フォーク状部の開口からストラップ２の帯状部分を挿入し、該フォーク状部にてストラップ２の帯状部分が挟み込まれた状態となるように装着する。
【００４１】
この状態において、第２支持部材３２は、連結部３３を介して第１支持部材３１に連結されている。したがって、上述のように第１支持部材３１をファインダ接眼枠１３に装着した状態にすると、本フード用接眼アクセサリー３は、図７，図８に示すように、ストラップ２の帯状部分がカメラ本体１１の外部背面に露呈している画像表示画面１６の周縁部において、該画像表示画面１６に対して起立した状態となって配設される。
【００４２】
この場合において、ストラップ２の帯状部分のうち第２支持部材３２のフォーク状部に挟み込まれて保持されている領域は、画像表示画面１６の周縁部のうちの上縁近傍に沿うように配置される。また、ストラップ２の帯状部分のうち第２支持部材３２に挟み込まれて保持されている部分に続く両端部分は、ストラップ２自体の自重によって鉛直方向へと垂れ下がった状態となる。これにより、ストラップ２の当該部分は、画像表示画面１６の周縁部のうちの両側縁近傍に沿うように配置される。
【００４３】
一般に、画像表示画面１６の表示の視認性を阻害する外部からの有害光は、使用者及びカメラ１の上方若しくは両側方から入射することが多い。
【００４４】
したがって、本実施形態のフード用接眼アクセサリ３を、上述のようにしてカメラ１に装着したとき、カメラ１のストラップ２の帯状部分が画像表示画面１６の周縁部のうち外光が入射しやすい方向、即ち上縁及び両側縁に沿って配置され、かつ画像表示画面１６に対して起立した状態で簡易的に固定されるようになっている。これにより、ストラップ２の帯状部分は、外部から画像表示画面１６に対して入射する有害光を効果的に遮蔽する。
【００４５】
以上説明したように、上記第１の実施形態のフード用接眼アクセサリ３は、
ファインダ接眼枠１３に係合させて取り付ける第１支持部材３１（第１の取付手段）と、
ストラップ２の帯状部分を取り付け可能な第２支持部材３２（第２の取付手段）と、
第１支持部材３１と第２支持部材３２とを相対的に回動可能に連結する連結部３３（連結手段）とによって構成される極めて簡単な構造としている。
【００４６】
このフード用接眼アクセサリ３において、第２支持部材３２にストラップ２の帯状部分を取り付けた状態で、第１支持部材３１をカメラ１のファインダ接眼枠１３に装着するのみで、画像表示画面１６への有害光を効果的に遮光するフード機能を実現することができる。
【００４７】
また、フード機能を必要としないときには、第２支持部材３２に挟み込まれたストラップ２の帯状部分を取り外し、該第２支持部材３２を第１支持部材３１と重ね合わせるように折り畳めばよい。このとき、フード用接眼アクセサリ３には、ファインダ接眼部の開口１３ａに対応した開口３１ａ，３２ａが設けられているので、ファインダ装置を通常通りに使用することが可能である。したがって、フード用接眼アクセサリ３が必要ではない状況にあっても、これを鞄等に収納する必要もなく、カメラ１の外部に装着した状態で容易に収納状態とすることができる。また、必要になったら第２支持部材３２を回動させた後、フォーク状部にストラップ２の帯状部分を挟み込むのみで、すぐにフード機能を実現できるので至便である。
【００４８】
また、フード機能を必要としないときの収納方法としては、上述した手段以外にも、次のようにしてもよい。即ち、第２支持部材３２のフォーク状部にストラップ２を挟み込んだ状態のまま、第１支持部材３１をファインダ接眼枠１３から取り外す。そして、この第１支持部材３１を第２支持部材３２に向けて重ね合わせるように折り畳めばよい。このようにすれば、該フード用接眼アクセサリ３は、ストラップ２の帯状部分に装着された状態で収納状態になる。したがって、この場合にも、不要時のフード用接眼アクセサリ３を鞄等に収納する必要がない。そして、必要な状況になったときには、フード用接眼アクセサリ３をストラップ２に装着した状態のまま、第１支持部材３１を回動させた後、ファインダ接眼枠１３に装着するだけで、すぐにフード機能を実現し得るので至便である。
【００４９】
［第２の実施形態］
次に、本発明の第２の実施形態のフード用接眼アクセサリについて図９を用いて以下に説明する。
【００５０】
本実施形態の構成は、上述の第１の実施形態の構成と基本的に同様であり、一部の構成が異なるのみである。したがって、本実施形態においては、上述の第１の実施形態と異なる主要部分のみを図示し（図９参照）、その異なる部分のみを説明する。なお、上述の第１の実施形態と同じ構成部材を説明するときには、上記第１の実施形態と同じ符合を用いる。
【００５１】
本実施形態のフード用接眼アクセサリ３Ａは、図９に示すように、第１支持部材３１Ａと、第２支持部材３２Ａと、連結部３３Ａとによって構成されている。
【００５２】
本実施形態においては、第１支持部材３１Ａと第２支持部材３２Ａとを連結する連結部３３Ａは、固定部３３Ａａと軸３３Ａｂとによって構成される。固定部３３Ａａには、軸方向に沿って形成される切欠３３Ａｃが形成されている。この切欠３３Ａｃは、軸中心の軸円周方向に沿っての切欠開口の角度θ（図９参照）を１８０度未満として形成されている。そして、固定部３３Ａａの内径Ａに対して軸３３Ａｂの直径は、Ａ＜Ｂの関係となるように形成されている。ただし、軸３３Ａｂと固定部３３Ａａとの回動に摩擦が生じるようにする必要があれば、Ａ＜Ｂとしなくてもよい。
【００５３】
そして、第２支持部材３２Ａには、軸３３Ａｂの両端面部近傍に第２支持部材３２Ａの平面方向に延びた延出部３２ｃが一体に設けられている。これは、第１支持部材３１Ａに対し相対的に第２支持部材３２Ａが開いたとき、延出部３２ｃが第１支持部材３１Ａの下端面３１ｄに当接して回動規制として機能し、第１支持部材３１Ａと第２支持部材３２Ａとが角度略９０度の開きで止まるようにしたものである。この部位の構造については他の実施形態も同様である。このような構造を採用することにより、ストラップ２の紐帯が表示画面にかかってしまうことを防ぐことができる。もちろん、このような規制手段を設けることを省いた構成としてもよい。その他の構成は、上述の第１の実施形態と同様である。
【００５４】
このような構成とすることにより、本実施形態のフード用接眼アクセサリ３Ａは、連結部３３Ａを固設した第１支持部材３１Ａに対して第２支持部材３２Ａを着脱することができるようになっている。
【００５５】
つまり、第２支持部材３２Ａは、連結部３３Ａに対して着脱可能に構成されている点が、上記第１の実施形態とは異なる点である。
【００５６】
以上説明したように、上記第２の実施形態によれば、第２支持部材３２Ａが連結部３３Ａに対して着脱可能になっているので、第１支持部材３１Ａをカメラ１側のファインダ接眼枠１３に装着した状態で、第２支持部材３２Ａを取り外すことができる。
【００５７】
したがって、例えば本実施形態のフード用接眼アクセサリ３Ａによるフード機能を必要としないときには、第１支持部材３１Ａと第２支持部材３２Ａとの間の連結を解除することができる。このように連結解除状態としたときには、第１支持部材３１Ａはファインダ接眼枠１３に装着した状態とする一方、第２支持部材３２Ａはストラップ２の側に装着した状態とすることができる。したがって、第１支持部材３１Ａと第２支持部材３２Ａとのそれぞれをカメラ１側の別々の部位、つまりファインダ接眼枠１３とストラップ２とのそれぞれの所定の部位に装着した状態で携帯することができるので、フード用接眼アクセサリ３Ａの非使用時における携帯性及び収納性を向上させることができる。
【００５８】
［第３の実施形態］
次に、本発明の第３の実施形態のフード用接眼アクセサリについて図１０を用いて以下に説明する。
【００５９】
本実施形態の構成も、上述の第１の実施形態の構成と基本的に同様であり、一部の構成が異なるのみである。したがって、本実施形態においては、上述の第１の実施形態と異なる部分のみを説明する。なお、上述の第１の実施形態と同じ構成部材を説明するときには、上記第１の実施形態と同じ符合を用いる。
【００６０】
本実施形態のフード用接眼アクセサリ３Ｂは、図１０に示すように、第１支持部材３１Ｂと、第２支持部材３２Ｂと、連結部３３Ｂとによって構成されている。
【００６１】
第１支持部材３１Ｂには、開口３１ａの周縁部近傍には、係止孔３１Ｂａが形成されている。一方、第２支持部材３２Ｂの開口３２ａの周縁部近傍には、先端がフック状に形成された係止爪３２Ｂａが突設されている。
【００６２】
そして、第１支持部材３１Ｂと第２支持部材３２Ｂとを連結部３３Ｂを介して相対的に回動させて折り畳み、両支持部材３１Ｂ，３２Ｂを重ね合わせた状態にしたときには、係止孔３１Ｂａに対して係止爪３２Ｂａが係合されるようになっている。このとき、係止爪３２Ｂａが係止孔３１Ｂａ内に入り込んたとき、係止爪３２Ｂａの先端爪部が係止孔３１Ｂａの内部周縁部に軽い力で係合するようになっている。これにより、第１支持部材３１Ｂと第２支持部材３２Ｂとが重ね合わされた状態となったとき、その状態が維持されるようになっている。
【００６３】
なお、第１支持部材３１Ｂと第２支持部材３２Ｂとの重ね合わせ状態を解除するには、両支持部材３１Ｂ，３２Ｂのそれぞれを離反する方向に軽い力量を加えるのみで、係止孔３１Ｂａと係止爪３２Ｂａとの係合状態が解除されるようになっている。その他の構成は、上述の第１の実施形態と同様である。
【００６４】
以上説明したように、上記第３の実施形態によれば、フード用接眼アクセサリ３Ｂを非使用状態としたときに、第１支持部材３１Ｂと第２支持部材３２Ｂとの重ね合わせ状態を維持することができる。また、非使用状態を容易に解除することができるので、いつでも必要なときに使用状態にすることができる。
【００６５】
なお、係止孔３１Ｂａと係止爪３２Ｂａとは、少なくとも各一つずつ設けられておればよいが、それぞれを複数設けるようにしてもよい。係止孔３１Ｂａと係止爪３２Ｂａとを、複数配設する場合には、両者を同数ずつ設けるようにする。本実施形態においては、図１０に示すように、係止孔３１Ｂａと係止爪３２Ｂａとを各二個ずつ設けた例を示している。
【００６６】
［第４の実施形態］
次に、本発明の第４の実施形態のフード用接眼アクセサリについて図１１を用いて以下に説明する。
【００６７】
本実施形態の構成も、上述の第１の実施形態の構成と基本的に同様であり、第２支持部材の構成が異なる。したがって、本実施形態においては、上述の第１の実施形態と異なる部分のみを説明する。なお、上述の第１の実施形態と同じ構成部材を説明するときには、上記第１の実施形態と同じ符合を用いる。
【００６８】
本実施形態のフード用接眼アクセサリ３Ｃは、図１１に示すように、第１支持部材３１Ｃと、第２支持部材３２Ｃと、連結部３３Ｃとによって構成されている。
【００６９】
第１支持部材３１Ｃ，連結部３３Ｃは、上述の第１の実施形態と全く同様の構成からなる。
【００７０】
本実施形態における第２支持部材３２Ｃは、連結部３３Ｃと係合する凹状部３２Ｃｃを有する基端部と、この基端部から延出する複数の腕部材３２Ｃａ，３２Ｃｂとによって構成されている。なお、第２支持部材３２Ｃと連結部３３Ｃとが連結する構造は、上述の各実施形態と同様である。
【００７１】
腕部材３２Ｃａは、第２支持部材３２Ｃの各両端部に形成され、腕部材３２Ｃｂは、第２支持部材３２Ｃの略中央部に形成されている。また、各腕部材３２Ｃａ，３２Ｃｂの先端部には、互いに対向する方向に突設する凸状部が形成されている。そして、各腕部材３２Ｃａ，３２Ｃｂの間に、板状部材２Ｃが挟み込んで取り付け可能となっている。なお、本実施形態においても板状部材２Ｃに代えて、カメラ１に取り付けられたストラップ２の帯状部分を挟み込むようにしてもよい。
【００７２】
また、上述の各実施形態のフード用接眼アクセサリ（３，３Ａ，３Ｂ）においては、第２支持部材３２，３２Ａ，３２Ｂがカメラ１に取り付けられたストラップ２を挟み込むように構成していた。しかしながら、これら各実施形態においても、ストラップ２に代えて上記板状部材２Ｃを第２支持部材３２Ｃによって挟み込むように構成することも容易に可能である。
【００７３】
以上説明したように、上記第４の実施形態においては、第２支持部材３２Ｃが板状部材２Ｃを挟み込むように構成したので、主にカメラ１の上方から画像表示画面１６へと入射してくる有害光を効率的に遮蔽することができる。よって極めて簡易的なフード機能を実現させ得る。
【００７４】
なお、上述の第４の実施形態のフード用接眼アクセサリ３Ｃにおいては、第２支持部材３２Ｃによって挟み込み取り付ける部材として、上述の各実施形態で示したストラップ２に代えて板状部材２Ｃとした例を示しているが、これに限ることはない。
【００７５】
例えば、図１２に示すように、四面を板状部材によって形成した箱状部材２Ｄを第２支持部材３２Ｃに挟み込むようにすることもできる。この場合において、箱状部材２Ｄは、少なくとも一面に上述の第４の実施形態の板状部材２Ｃと略同形状の平面部を有し、対向する二面に開口２Ｄａ，２Ｄｂを形成した形態としている。
【００７６】
したがって、該箱状部材２Ｄの平面部を第２支持部材３２Ｃの腕部材３２Ｃａ，３２Ｃｂによって挟み込み取り付けると、箱状部材２Ｄの各面が画像表示画面１６の周縁部を覆うように配設され、よって外部から画像表示画面１６へと入射する有害光を容易に遮蔽してフード機能を実現することができる。
【００７７】
なお、図１２に示す箱状部材２Ｄは、開口２Ｄａ，２Ｄｂ以外の四つの面を平面で形成し、これらの四面が画像表示画面１６の周縁部に配置されるようにしているが、このような形態に限ることはない。例えば、上記箱状部材２Ｄの四つの平面のうち底面側の一面を省略した形態としてもよい。この場合には、上述の第１の実施形態においてストラップ２を利用した場合の形態と同様に、カメラ１の上方もしくは両側方から画像表示画面１６へと入射してくる有害光を有効に遮蔽することができる。
【００７８】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００７９】
１……カメラ
２……ストラップ
２Ｃ……板状部材
２Ｄ……箱状部材
３，３Ａ，３Ｂ……フード用接眼アクセサリ
１１……カメラ本体
１２……レンズ鏡筒
１３……ファインダ接眼枠
１３ａ……開口
１３ｂ……スライドレール部
１４……ストラップ用吊具
１５……操作部材
１５ａ……シャッターレリースボタン
１６……画像表示画面
３１，３１Ａ，３１Ｂ，３１Ｃ……第１支持部材
３１ａ，３２ａ……開口
３１ｂ……溝部
３１Ｂａ……係止孔
３２，３２Ａ，３２Ｂ，３２Ｃ……第２支持部材
３２Ｂａ……係止爪
３２Ｃａ，３２Ｃｂ……腕部材
３２ｃ，３２Ｃｃ……凹状部
３３，３３Ａ，３３Ｂ，３３Ｃ……連結部材
３３ａ，３３Ａａ……固定部
３３ｂ，３３Ａｂ……軸
３３Ａｃ……切欠
【図１】
2010243668.tif 000003
【図２】
2010243668.tif 000004
【図３】
2010243668.tif 000005
【図４】
2010243668.tif 000006
【図５】
2010243668.tif 000007
【図６】
2010243668.tif 000008
【図７】
2010243668.tif 000009
【図８】
2010243668.tif 000010
【図９】
2010243668.tif 000011
【図１０】
2010243668.tif 000012
【図１１】
2010243668.tif 000013
【図１２】
2010243668.tif 000014